(57)【要約】【課題】  従来の注出容器は、プルトップが備えられ、該プルトップを切り起して注出口が開口される際、付着した液体調味料が撥ねて好ましくなかった。更に、上蓋が被着されたとき、その上蓋の天面に垂下するインナーリングが中栓の注出筒の内周面に当接摺動して閉鎖されることになるが、インナーリングの当接摺動には、当接が弱く、完璧なシールを難しくしている。【解決手段】  容器の首部に、上蓋を螺合し、該上蓋を締着する螺子及びラチェットが形成され、該首部の上面には、注出筒を備え、該注出筒の内側面に中間より下方へ向って設けられる流量調整溝が形成され、該流量調整溝の下端部分には、上蓋内部のインナーリングの端部が押当接される段差部でなる注出口が形成されている流量調整注出容器である。【選択図】図１
2013129462.tif 000002
【特許請求の範囲】
【請求項１】
容器の首部に、上蓋を螺合し、該上蓋を締着する螺子及びラチェットが形成され、該首部の上面には、注出筒を備え、該注出筒の内側面に中間より下方へ向って設けられる流量調整溝が形成され、該流量調整溝の下端部分には、上蓋内部のインナーリングの端部が押当接される段差部でなる注出口が形成されていることを特徴とする流量調整注出容器。
【請求項２】
流量調整溝が羅列周設されたＵ字状溝又はＶ字状溝であることを特徴とする請求項１に記載の流量調整注出容器。
【発明の詳細な説明】
【技術分野】
【０００１】  本発明は、酢、醤油等液体調味料の注出の流量を調整することのできる流量調整注出容器に関するものである。
【背景技術】
【０００２】  従来の注出容器は、容器首部に嵌着される中栓が上部分に注出筒を設け、該注出筒内下部にはプルトップが備えられ、注出口を切り起し開けられる仕切り壁面を形成して構成されている。
中栓は、上部部分に螺合して前記注出筒を覆う上蓋を設ける。
中栓の注出口を切り起し開けられた注出容器が傾けられることによって、注出口より注出した酢、醤油等の液体調味料は、注出容器が起されることによって、注出筒の先端より液垂れしないように液切れさせて液戻しし、その液戻しの液戻し促進部分を注出筒の先端に形成するものである。【０００３】  そして、液戻し促進部分は、注出筒の先端に周方向へ連続する凹部を備え、該凹部は、Ｖ字状、又はＵ字状の構造から構成されている。
液戻し促進部分は、注出筒の下方へ向って形成され、下方へ向って次第に深さが浅くなる凹部である。【０００４】  また、中栓の注出筒には、上蓋が被着されると、上蓋の天面より垂下するインナーリングが、その注出筒の内周面に当接摺動されて閉栓することになる。
【先行技術文献】
【特許文献】
【０００５】
【特許文献１】  特開２０１１−８４２７５
【発明の概要】
【発明が解決しようとする課題】
【０００６】  従来の注出容器において、流量調整がされるのは、注出筒内下部にプルトップが備えられ、切り起して開けられる仕切り壁面に形成される注出口であって、該注出口で酢、醤油等の液体調味料が狭められた注出をした後、注出容器が起されると、注出筒の先端の液戻し促進部分で液垂れしないように液切れさせて液戻しされる。しかし、液戻しした酢、醤油等の液体調味料は、仕切り壁面に形成された注出口に引っ掛かり、溜ることになる。【０００７】  また、プルトップを切り起して開けられる壁面に形成される注出口は構造を複雑にし、注出口を開口する為に、プルトップを切り起し除く際、酢、醤油等の液体調味料が撥ねて、好ましくなかった。【０００８】  更に、上蓋が被着されたとき、その上蓋の天面に垂下するインナーリングが中栓の注出筒の内周面に当接摺動して閉栓されることになるが、インナーリングの当接摺動には、当接が弱く、十分なシールを難しくしている。
【課題を解決するための手段】
【０００９】  本発明の流量調整注出容器は、容器の首部に、上蓋を螺合し、該上蓋を締着する螺子及びラチェットが形成され、該首部の上面には、注出筒を備え、該注出筒の内側面に中間より下方へ向って設けられる流量調整溝が形成され、該流量調整溝下端部分には、上蓋内部のインナーリングの端部が押当接される段差部でなる注出口が形成されているものである。【００１０】  本発明の流量調整注出容器は、流量調整溝が羅列周設されたＵ字状溝、又はＶ字状溝である。
【発明の効果】
【００１１】  本発明の流量調整注出容器は、注出口が、プルトップを切り起して開けられるものでないので、構造をシンプルにして成形を容易にし、その上、プルトップによる開口がされるときに、酢、醤油等の液体調味料を撥ねさせることがない。
そして、注出筒の基部に形成される流量調整溝で注出の流量調整をするので、単なる注出口で流量調整するよりは、作用に無駄のない確実な流量調整をすることができる。
また、注出筒の先端は、傾斜が立ちぎみにされ、薄肉であるので、容器を起せば、確実、且つ容易に液切れがされる。
注出筒の内側面に形成された流量調整溝下端部には、上蓋内のインナーリングの端部が押当接される段差部でなる注出口が形成されることによって、上蓋による閉栓がされるときに、流量調整溝に未だ残留する酢、醤油等の液体調味料があったとしても、その液体調味料は上蓋のインナーリングの先端によって容器内へ押し戻されることになり、その上、該インナーリングの先端が段差部へ押当接され、確実なシールを容易にできることになる。【００１２】  流量調整溝が羅列周設されたＵ字状溝又はＶ字状溝であることによって、注出される酢、醤油等の液体調味料との接触面積を増すことができ、調整が迅速且つ確実にして容易に出来ることになる。
【図面の簡単な説明】
【００１３】
【図１】  流量調整注出容器の縦断面図である。
【図２】  上蓋を取除いた状態のＵ字状溝の流量調整溝である流量調整注出容器の上面図である。
【図３】  上蓋を取除いた状態のＶ字状溝の流量調整溝である流量調整注出容器の上面図である。
【図４】  注出筒の展開図である。
【発明を実施するための形態】
【００１４】  本発明の流量調整注出容器は、図１に示すが如く、容器の首部１に螺子１０及びラチェット１１を形成し、螺合締着する上蓋２のスカート部に螺子２０及びラチェット２１が形成されている。
容器の首部１の上面には、注出筒３を備え、該注出筒の内側面に下方へ向って設けられる流量調整溝３０が形成され、該流量調整溝の下端部分には、前記首部に螺合締着させた上蓋２のその内部のインナーリング２２の端部２３が押当接される段差部１３を設けて、注出口１４を形成する。
上蓋２を開いて、容器を傾け寝かせると、酢、醤油等の液体調味料は、注出口１４より注出筒３に注出され、その過程において、注出口１４に段差部１３を介して隣接する流量調整溝３０で流量調整され、適宜な流量が注出されることになる。
容器を立てると、注出筒３の先端３１で液切りをし、酢、醤油等の液体調味料は元の容器内へ戻る。
容器を上蓋２で閉栓すると、上蓋２の内部のインナーリング２２の端部２３が流量調整溝３０の下端部分にある段差部１３によって押当接され、注出筒３の傾斜が立っていれば残留することはないのであるが、流量調整溝３０に、未だ残留している酢、醤油等の液体調味料を押し落しすることになり、且つ確実なシールをすることになる。
流量調整溝３０は、図２乃至図４に示す如く、羅列周設されたＵ字状溝３０１、Ｖ字状溝３０２にすることによって、溝による液体調味料との接触面積が増すことになって、流量の調整が迅速、且つ容易に、そして、確実に出来ることになる。
本発明の流量調整注出容器は、注出口１４がプルトップを切り起して開けられるものでないので、構造をシンプルに出来、その上、流量調整をする流量調整溝３０が、上蓋２のインナーリング２２の端部２３で閉栓する段差部１３を介して注出口１４に隣接されているので、効率のよい流量調整注出容器を得ることができ、しかも、成形が安価で、容易に出来るので、小型の流量調整注出容器に最適である。
【符号の説明】
【００１５】１        首部
１０      螺子
１１      ラチェット
１３      段差部
１４      注出口
２        上蓋
２０      螺子
２１      ラチェット
２２      インナーリング
２３      端部
３        注出筒
３０      流量調整溝
３０１    Ｕ字状溝
３０２    Ｖ字状溝
３１      先端
【図１】
2013129462.tif 000003
【図２】
2013129462.tif 000004
【図３】
2013129462.tif 000005
【図４】
2013129462.tif 000006